(57)【特許請求の範囲】
【請求項１】
ワイヤレスデバイスにおける方法であって、
前記デバイスで、ワイヤレス基地局からダウンリンク搬送波の制御領域内の制御信号を受信することであって、前記制御領域が第１の帯域幅を有し、前記制御領域内の第１の制御メッセージは、第１のダウンリンク制御情報（ＤＣＩ）フォーマットサイズを用いて復号され、前記第１のＤＣＩフォーマットサイズが前記第１の帯域幅に基づく、前記制御信号を受信すること、
前記デバイスで、第２の帯域幅を示す前記ワイヤレス基地局からの信号伝送メッセージを受信することを備え、
前記制御領域内の第２の制御メッセージは、第２のＤＣＩフォーマットサイズを用いて復号され、前記第２のＤＣＩフォーマットサイズが前記第２の帯域幅に基づき、
前記第２の帯域幅が前記第１の帯域幅とは異なり、前記第１および第２の制御メッセージが、前記ダウンリンク搬送波に関するダウンリンクのリソース割当てを示す、方法。
【請求項２】
前記基地局からの前記信号伝送メッセージが、ブロードキャストメッセージである、請求項１に記載の方法。
【請求項３】
前記基地局からの前記信号伝送メッセージが、専用の無線リソース構成（ＲＲＣ）メッセージである、請求項１に記載の方法。
【請求項４】
前記第１の制御メッセージが、ブロードキャストメッセージであり、前記第２の制御メッセージが、前記ワイヤレスデバイスにアドレス指定される専用メッセージである、請求項１に記載の方法。
【請求項５】
前記第１の制御メッセージが、前記制御領域内の共通探索空間内で受信され、前記第２の制御メッセージが、前記制御領域内のワイヤレスデバイス特有の探索空間内で受信され、前記ワイヤレスデバイス特有の探索空間が、ワイヤレスデバイス特有の識別子に基づく、請求項１に記載の方法。
【請求項６】
前記第１の制御メッセージが、物理的ダウンリンク制御チャネル（ＰＤＣＣＨ）メッセージであり、前記第２の制御メッセージが、ＰＤＣＣＨメッセージである、請求項１に記載の方法。
【請求項７】
前記第１の帯域幅と第２の帯域幅が少なくとも１つの副搬送波を共有する、請求項１に記載の方法。
【請求項８】
前記デバイスが、前記第１の帯域幅および第２の帯域幅の信号を受信するように構成される、請求項１に記載の方法。
【請求項９】
前記第２の帯域幅が、前記第１の帯域幅を含む、請求項１に記載の方法。
【請求項１０】
前記ワイヤレスデバイスが、単一の２０ＭＨｚの受信機を有する、請求項１に記載の方法。
【請求項１１】
前記第１の制御メッセージと前記第２の制御メッセージが、同じサブフレーム内で受信される、請求項１に記載の方法。
【発明の詳細な説明】
【技術分野】
【０００１】
本開示は、一般にワイヤレス通信システムに関し、より詳細には、基地局のワイヤレスネットワーク内部の限定加入者グループ（closed subscriber group:ＣＳＧ）セルもしくはホームｅＮｏｄｅ  Ｂ、またはマクロｅＮｏｄｅ  Ｂの未調整配置における干渉の管理に関する。
【背景技術】
【０００２】
いくつかのワイヤレス通信ネットワークは独自仕様（ｐｒｏｐｒｉｅｔａｒｙ）であり、他のものは、１つまたは複数の規格と適合して展開され、様々なベンダによって製造される機器に対応する。１つのそのような規格ベースのネットワークは、第３世代パートナーシッププロジェクト（Third Generation Partnership Project:３ＧＰＰ）によって規格化されたユニバーサル移動体通信システム（Universal Mobile Telecommunications:ＵＭＴＳ）であり、これは、国際電気通信連合（International Telecommunication Union:ＩＴＵ）の国際移動体通信（Ｉｎｔｅｒｎａｔｉｏｎａｌ  Ｍｏｂｉｌｅ  Ｔｅｌｅｃｏｍｍｕｎｉｃａｔｉｏｎｓ）−２０００プロジェクトの範囲内で、世界中で利用可能な移動体電話システム仕様を規定する通信協会のグループの共同開発である。ＵＭＴＳロングタームエボリューション（Long Term Evolution:ＬＴＥ）または進化型ＵＭＴＳ地上無線アクセス（Evolved UMTS Terrestrial Radio Access:Ｅ−ＵＴＲＡ）と呼ばれている進化したＵＭＴＳ規格を開発する努力が現在行われている。
【０００３】
Ｅ−ＵＴＲＡまたはＬＴＥの規格または仕様のリリース（Ｒｅｌｅａｓｅ）  ８によれば、基地局（「エンハンスドノードＢ」または単に「ｅＮＢ」と呼称される）からワイヤレス通信デバイス（「ユーザ機器」または「ＵＥ」と呼称される）へのダウンリンク通信が、直交周波数分割多重方式（orthogonal frequency division multiplexing:ＯＦＤＭ）を利用する。ＯＦＤＭでは、直交副搬送波がデジタルストリームで変調され、このデジタルストリームは、１組のＯＦＤＭシンボルを形成するためにデータ、制御情報、または他の情報を含む。副搬送波は連続でも不連続でもよく、ダウンリンクのデータ変調は、四位相偏移変調（quadrature phase shift-keying:ＱＰＳＫ）、１６値直交振幅変調（16-ary quadratureamplitude modulation:１６ＱＡＭ）、または６４ＱＡＭを使用して行うことができる。ＯＦＤＭシンボルは、基地局からの送信用のダウンリンクのサブフレームに構成される。各ＯＦＤＭシンボルは、ある期間を有し、サイクリックプレフィックス（cyclic prefix:ＣＰ）と関連付けられる。サイクリックプレフィックスは、本質的には、サブフレーム内の連続するＯＦＤＭシンボル間のガード期間である。Ｅ−ＵＴＲＡ仕様によれば、通常のサイクリックプレフィックスは約５マイクロ秒であり、拡張サイクリックプレフィックスは約１６．６７マイクロ秒である。サービスする基地局からのデータは、物理的ダウンリンク共有チャネル（physical downlink shared channel:ＰＤＳＣＨ）で送信され、制御情報は、物理的ダウンリンク制御チャネル（physical downlink control channel:ＰＤＣＣＨ）で信号伝送される。
【０００４】
ダウンリンクとは対照的に、ＵＥからｅＮＢへのアップリンク通信は、Ｅ−ＵＴＲＡ規格によれば、シングルキャリア周波数分割多重接続方式（single-carrier frequency division multiple access:ＳＣ−ＦＤＭＡ）を利用する。ＳＣ−ＦＤＭＡでは、ＱＡＭデータシンボルのブロック送信は、第１の離散フーリエ変換（discrete Fourier transform:ＤＦＴ）拡散（またはプリコーディング）と、それに続く従来のＯＦＤＭ変調器への副搬送波マッピングとによって行われる。ＤＦＴプリコーディングの使用は、適度なキュービックメトリック又はピーク対平均電力比（peak-to-average power ratio:ＰＡＰＲ）を実現し、この結果、ＵＥ電力増幅器のコスト、サイズ、および電力消費を減少させる。ＳＣ−ＦＤＭＡによれば、アップリンク送信のために使用される各副搬送波は、すべての送信される変調信号に関する情報を含み、入力データストリームが各副搬送波にわたって拡散される。アップリンクでのデータ送信はｅＮＢによって制御され、ダウンリンク制御チャネルを介して送信されるスケジューリンググラント（およびスケジューリング情報）の送信に関連する。アップリンク送信用のスケジューリンググラントは、ダウンリンクでｅＮＢによって提供され、とりわけ、リソース割振り（例えば１ミリ秒（ｍｓ）期間当たりのリソースブロックサイズ）と、アップリンク送信に使用すべき変調の識別とを含む。高次の変調および適合変調符号化（adaptive modulation and coding:ＡＭＣ）の追加により、好ましいチャネル条件でユーザをスケジュールすることによって大きなスペクトル効率が可能である。ＵＥは、物理的アップリンク共有チャネル（physical uplink shared channel:ＰＵＳＣＨ）でデータを送信する。物理的制御情報は、ＵＥによって物理的アップリンク制御チャネル（physical uplink control channel:ＰＵＣＣＨ）で送信される。
【０００５】
また、Ｅ−ＵＴＲＡシステムは、容量を増加するためにダウンリンクでＭＩＭＯ（multiple input and multiple output:複数入力複数出力）アンテナシステムを使用するのを容易にする。知られているように、ＭＩＭＯアンテナシステムは、ｅＮＢで複数の送信アンテナを使用し、ＵＥで複数の受信アンテナを使用することにより採用される。ＵＥは、チャネル推定、後続のデータ復調、および報告用のリンク品質測定のためにｅＮＢから送信されるパイロットまたは参照シンボル（reference symbol:ＲＳ）に従う。フィードバック用のリンク品質測定は、ランクインジケータや、同じリソースで送信されるデータストリームの数、プリコーディング行列インデックス（precoding matrix:ＰＭＩ）などの空間パラメータ、および変調符号化方式（modulation and coding scheme:ＭＣＳ）やチャネル品質インジケータ（channel quality indicator:ＣＱＩ）などの符号化パラメータを含む。例えば、ＵＥは、１よりも大きいランクをリンクがサポートすることができると決定した場合に、複数のＣＱＩ値を報告する（例えばランク＝２のときは２つのＣＱＩ値）。さらに、リンク品質測定は、サポートされるフィードバックモードの１つで、ｅＮＢによって指示されるように周期的または非周期的に報告する。リポートは、パラメータの広帯域またはサブバンド周波数選択情報を含む。ｅＮＢは、ランク情報、ＣＱＩ、および他のパラメータ、例えばアップリンク品質情報を使用して、アップリンクおよびダウンリンクチャネルでＵＥをサービスする。
【０００６】
ダウンリンク送信用の直交周波数分割多重方式（ＯＦＤＭ）に基づく第３世代パートナーシッププロジェクト（third generation partnership:３ＧＰＰ）によって開発されたロングタームエボリューション（ＬＴＥ）システムのリリース−８仕様の記載において、ｅＮＢとＵＥとの間のリンクは、制御チャネル（すなわちＰＤＣＣＨ）送信用の各１ｍｓサブフレームの先頭に、典型的には１〜３個のＯＦＤＭシンボルにより形成される（長さは、物理的制御フォーマットインジケータチャネル（ＰＣＦＩＣＨ）を介して信号伝送される）。典型的には、ＯＦＤＭシンボルは、時間単位（またはサンプル）の整数により構成され、時間単位は基本参照期間を示す。例えば、ＬＴＥでは、時間単位は１／（１５０００×２０４８）秒に対応する。したがって、ＰＤＣＣＨ送信は、サブフレームでの最初のＯＦＤＭシンボルに（同時に）固定開始位置を有する第１の制御領域である。ＰＤＣＣＨの後のサブフレームでの残りのシンボルはすべて、典型的には、複数のリソースブロック（ＲＢ）に割り当てられたデータ伝送トラフィック（すなわちＰＤＳＣＨ）に関するものである。典型的には、ＲＢは、１組の副搬送波および１組のＯＦＤＭシンボルから構成される。送信用の最小リソース単位は、最小の時間周波数リソース単位によって与えられるリソース要素として表される（１つのＯＦＤＭシンボルによって１つの副搬送波）。例えば、ＲＢは、（１５ｋＨｚの副搬送波間隔をもつ）１２個の副搬送波と１４個のＯＦＤＭシンボルを含み、いくつかの副搬送波がパイロットシンボルとして割り当てられる。典型的には、１ｍｓのサブフレームが２つのスロットに分割され、それぞれ０．５ｍｓである。ＲＢは、サブフレームではなく１つまたは複数のスロットに関して定義される。リリース−８仕様によれば、ＵＥとｅＮＢの間のアップリンク通信はシングルキャリア周波数分割多重接続方式（ＳＣ−ＦＤＭＡ）に基づき、ＳＣ−ＦＤＭＡは離散フーリエ変換（ＤＦＴ）拡散ＯＦＤＭとも呼ばれる。また、不連続副搬送波でアップリンク制御情報およびアップリンクデータを送信することによって不連続アップリンク割振りを有する。仮想リソースブロックは、副搬送波の周波数が分散された（すなわち不連続である）リソースブロックであり、局所ＲＢは、副搬送波の周波数が連続であるＲＢである。仮想ＲＢは、周波数ダイバーシティにより、性能が改良される。リリース−８  ＵＥは、典型的には、ダウンリンクでの任意の個々のサブフレームにおいて、時間ではなく周波数領域で（すなわちＲＢレベルで、またはＲＢの倍数で）リソースを共有する。
【０００７】
ＰＤＣＣＨは、ダウンリンク制御情報（downlink control information:ＤＣＩ）フォーマットまたはスケジューリングメッセージに関する制御情報を含み、これらは、ダウンリンクデータ送信を復号するのに必要とされる変調符号化方式、搬送ブロックサイズおよび位置、プリコーディング情報、ハイブリッドＡＲＱ情報、ＵＥ識別子などをＵＥに通知する。この制御情報は、チャネル符号化（典型的には、エラー検出用の巡回冗長検査（cyclic-redundancy check:ＣＲＣ）コードおよびエラー訂正用の畳み込み符号化）によって保護され、得られる符号化されたビットが時間周波数リソースにマップされる。例えば、ＬＴＥ  Ｒｅｌ−８では、これらの時間周波数リソースは、サブフレームでの最初の複数のＯＦＤＭシンボルを占有する。４つのリソース要素の１グループが、リソース要素グループ（Resource Element Group:ＲＥＧ）と呼ばれる。９つのＲＥＧが、制御チャネル要素（Control Channel Element:ＣＣＥ）を構成する。符号化されたビットは、典型的には、１個のＣＣＥ、２個のＣＣＥ、４個のＣＣＥ、または８個のＣＣＥにマップされる。これら４つは、典型的には、アグリゲーションレベル（aggregation levels）１、２、４、および８と呼ばれる。ＵＥは、許容できる構成に基づいて送信を復号することを試みることによって、様々な仮説（すなわち、アグリゲーションレベルやＤＣＩフォーマットサイズなどに関する仮説）を探索する。この処理は、ブラインド復号化と呼ばれる。ブラインド復号化に必要とされる構成の数を制限するために、仮説の数が制限される。例えば、ＵＥは、特定のＵＥに関して許容されるものとして開始ＣＣＥ位置を使用してブラインド復号化を行う。これは、いわゆるＵＥ特有の探索空間によって行われ、この探索空間は、（典型的には無線リンクの初期セットアップ中に構成され、またＲＲＣメッセージを使用して修正される）特定のＵＥに関して定義される探索空間である。同様に、共通探索空間も定義され、共通探索空間は、すべてのＵＥに関して有効であり、ページングやランダムアクセス応答などブロードキャストダウンリンク情報をスケジュールするために、または他の目的に使用することができる。
【０００８】
制御メッセージは、典型的には、畳み込み符号器を使用して符号化される。制御領域は、物理的ハイブリッドＡＲＱインジケータチャネル、またはハイブリッドＡＲＱ肯定応答を送信するために使用されるＰＨＩＣＨを含む。
【０００９】
各通信デバイスが、ブラインド検出を使用して、異なるダウンリンク制御インジケータ（ＤＣＩ）フォーマットを有する制御チャネル（ＰＤＣＣＨ）に関して、各サブフレーム内で制御領域を探索し、ＰＤＣＣＨ  ＣＲＣは、物理的ダウンリンク共有チャネル（ＰＤＳＣＨ）または物理的アップリンク共有チャネル（ＰＵＳＣＨ）でのデータをスケジュールする目的では通信デバイスのＣ−ＲＮＴＩ（ＵＥＩＤ）をスクランブル(scramble)し、あるいは、ブロードキャスト制御（システム情報、ページング、またはランダムアクセス応答）をスケジュールする目的ではそれぞれＳＩ−ＲＮＴＩ、Ｐ−ＲＮＴＩ、またはＲＡ−ＲＮＴＩをスクランブルする。他のスクランブルタイプは、共同電力制御（ｊｏｉｎｔ  ｐｏｗｅｒ  ｃｏｎｔｒｏｌ）、半永続スケジューリング（semi-persistent scheduling:ＳＰＳ）、および一時Ｃ−ＲＮＴＩを含み、いくつかのランダムアクセスメッセージのスケジューリングと共に使用する。
【００１０】
特定のユーザ機器は、監視すべき各ＰＤＣＣＨ候補に対応する制御チャネル要素を検出しなければならない（各サブフレーム制御領域ごとにブラインド復号化を行う）。各ＰＤＣＣＨのＣＲＣは、ベースユニットがスケジュールすることを試みているユーザ機器に対応する特定の識別子によってマスクされる。特定の識別子は、ＵＥにサービスするベースユニットによってそのＵＥに割り当てられる。この識別子は、無線ネットワーク一時識別子（radio network temporary identifier:ＲＮＴＩ）として知られており、コールアドミッション時に各ＵＥに通常割り当てられる識別子は、セルＲＮＴＩまたはＣ−ＲＮＴＩである。また、ＵＥには、半永続スケジューリングＣ−ＲＮＴＩ（ＳＰＳ  Ｃ−ＲＮＴＩ）または一時Ｃ−ＲＮＴＩ（ＴＣ−ＲＮＴＩ）を割り当てることができる。ＵＥは、ＰＤＣＣＨを復号するとき、正常なＰＤＣＣＨ復号化を行うために、ＰＤＣＣＨ  ＣＲＣにマスクの形態でそのＣ−ＲＮＴＩを適用しなければならない。ＵＥは、特定のＤＣＩフォーマットタイプのＰＤＣＣＨを正常に復号したとき、復号されたＰＤＣＣＨからの制御情報を使用して、例えば、対応するスケジュールされるダウンリンクまたはアップリンクデータ送信に関するリソース割振り、ハイブリッドＡＲＱ情報、およびパワー制御情報を決定する。レガシーＤＣＩフォーマットタイプ０が、物理的アップリンク共有チャネル（ＰＵＳＣＨ）でのアップリンクデータ送信をスケジュールするために使用され、ＤＣＩフォーマットタイプ１Ａが、物理的ダウンリンク共有チャネル（ＰＤＳＣＨ）でのダウンリンクデータ送信をスケジュールするために使用される。異なる送信モード（例えば１アンテナ送信、１ユーザオープンループＭＩＭＯ、マルチユーザＭＩＭＯ、１ユーザクローズループＭＩＭＯ、ランク−１プリコーディング）にそれぞれ対応するＤＣＩフォーマット１、１Ｂ、１Ｄ、２、２Ａを含めた他のＤＣＩフォーマットタイプも、ＰＤＳＣＨ送信をスケジュールするために使用される。また、共同電力制御情報の送信をスケジュールするためのレガシーＤＣＩフォーマット３および３Ａも存在する。ＰＤＣＣＨ  ＤＣＩフォーマット０、１Ａ、３、および３Ａはすべて、同じサイズのペイロードを有し、したがって同じ符号化レートを有する。したがって、ＰＤＣＣＨ候補につき、０、１Ａ、３、３Ａのすべてに関してブラインド復号化は１回だけ必要とされる。次いで、ＣＲＣは、ＰＤＣＣＨがＤＣＩフォーマットタイプ０であるか１Ａであるかを決定するためにＣ−ＲＮＴＩによってマスクされ、フォーマットタイプ３であるか３Ａであるかを決定するために異なるＲＮＴＩによってマスクされる。ＤＣＩフォーマットタイプ０と１Ａは、ＰＤＣＣＨペイロード自体でのＤＣＩタイプのビットによって区別される（すなわち制御情報フィールドの１つに関する制御情報の一部）。ＵＥは、ＵＥ特有の探索空間内の各ＰＤＣＣＨ候補位置で、すべてのＤＣＩフォーマット０、１Ａを探索することを常に必要とされる。アグリゲーションレベル１、２、４、および８に関する４つのＵＥ特有の探索空間が存在する。ある時間に、ＤＣＩフォーマットタイプ１、１Ｂ、１Ｄ、２、または２Ａの１つのみがＵＥに割り当てられ、それによりＵ���は、０、１Ａ  ＤＣＩタイプに関して必要とされる１回のブラインド復号化の他に、ＵＥ特有の探索空間内で、ＰＤＣＣＨ候補位置につき１回の追加のブラインド復号化を行えばよい。ＰＤＣＣＨ候補位置は、それらがＵＥ特有の探索空間内に位置されるとき、ＤＣＩフォーマットタイプに関して同じである。また、それぞれアグリゲーションレベル４および８の２つの１６ＣＣＥ共通探索空間も存在し、これらは、論理的に、かつ時として（３２個以上の制御チャネル要素があるときには）物理的にＵＥ特有の探索空間に隣接する。共通探索空間では、ＵＥがＤＣＩタイプ０、１Ａ、３、および３Ａ、ならびにＤＣＩフォーマットタイプ１Ｃを監視する。ＤＣＩフォーマットタイプ１Ｃは、ページング、ランダムアクセス応答、およびシステム情報ブロック送信を含むブロードキャスト制御をスケジュールするために使用される。ＤＣＩ  １Ａは、共通探索空間でのブロードキャスト制御のために使用する。ＤＣＩ  ０および１Ａは、共通探索空間でのＰＵＳＣＨおよびＰＤＳＣＨをスケジュールするためにも使用される。ＵＥは、ＤＣＩフォーマット０、１Ａ、３、および３Ａに関して、Ｌ＝４の共通探索空間では最大４回のブラインド復号化を行うことを必要とされ、Ｌ＝８共通探索空間では２回のブラインド復号化を行うことを必要とされ、ＤＣＩ  １ＣはＤＣＩ  ０、１Ａ、３、および３Ａと同じサイズでないので、ＤＣＩ  １Ｃに関しても同じ回数が必要とされる。ＵＥは、Ｌ＝（１，２，４，８）のＵＥ特有の探索空間に関してそれぞれ（６，６，２，２）回のブラインド復号化を行うことを必要とされ、ここでＬは、探索空間のアグリゲーションレベルを表す。したがって、このとき１つのサブフレーム制御領域につきＵＥが実施する必要があるブラインド復号化試行の総計の最大数は、４４（＝２×（６，６，２，２）＋２×（４，２））である。各探索空間でのＰＤＣＣＨ候補位置を見出すために、サービスするベースユニットおよびＵＥによってハッシング機能が使用される。ハッシング機能は、ＵＥ  Ｃ−ＲＮＴＩ（または時としてＴＣ−ＲＮＴＩ）、アグリゲーションレベル（Ｌ）、制御領域で利用可能なＣＣＥの総数（Ｎｃｃｅ）、サブフレーム番号またはインデックス、および探索空間に関するＰＤＣＣＨ候補の最大数に基づく。
【００１１】
ホーム基地局またはフェムトセルを、本開示ではホームｅＮＢ（ＨｅＮＢ）と呼称する。ＨｅＮＢは、限定加入者グループ（ＣＳＧ）に属するか、またはオープンアクセスセルでもよい。ＣＳＧは、ある特定の１グループの加入者のみにアクセスを許可する１つまたは複数のセルの組である。展開された帯域幅（ＢＷ）の少なくとも一部分がマクロセルと共有されるＨｅＮＢ配置は、干渉の観点から、リスクの高いシナリオと考えられる。マクロセルに接続されたＵＥがＨｅＮＢの近くでローミングするとき、特にＨｅＮＢがマクロセルから遠い（例えば＞４００ｍ）場合にＨｅＮＢのアップリンクが大きな干渉を受けることがあり、それによりＨｅＮＢに接続されたＵＥのサービスの質が劣化する。現在、この干渉が生じることがある状況を検出するために既存のＲｅｌ−８  ＵＥ測定フレームワークを利用することができ、この問題を緩和するために、ネットワークは、マクロセルとＨｅＮＢの間で共有されていない中間周波数搬送波にＵＥをハングオーバーする。しかし、ＵＥをハングオーバーするために特定のネットワークで利用可能なそのような搬送波が存在しないことがある。さらに、ＨｅＮＢの普及率が高まるにつれて、利用可能なスペクトル全体でＨｅＮＢを効率的に動作させることが、コスト面から望まれている。
【図面の簡単な説明】
【００１２】
【図１ａ】ＭＮＢとＨｅＮＢを用いた異種の配置、およびＭＮＢとＨｅＮＢによって送信される搬送波のダウンリンクサブフレーム構成を示す図である。
【図１ｂ】アップリンクおよびダウンリンクサブフレーム構造についてより詳細に示す図である。
【図２】マクロセルサブフレームに対してｋ＝２シンボルだけＨｅＮＢサブフレームをシフトする方法を示す図である。
【図３】マクロセルに対してｋ＝１６シンボルだけＨｅＮＢサブフレームをシフトする方法を示す図である。
【図４】３００ｋＨｚの倍数だけ分離されるラスタ周波数を有する５ＭＨｚおよび１５ＭＨｚの例示的な副搬送波構造を示す図である。
【図５】５ＭＨｚおよび１５ＭＨｚ  ＤＬ搬送波の例示的な副搬送波構造を示す図である。
【図６】ＤＣＩフォーマットサイズが第１および第２の帯域幅に基づく制御メッセージを受信するためのプロセスを示す図である。
【発明を実施するための形態】
【００１３】
本開示の様々な態様、特徴、および利点は、以下に説明する以下の詳細な説明および添付図面を注意深く考察すれば当業者にはより完全に明らかになろう。分かりやすくするために図面は簡略化されていることがあり、必ずしも一律の縮尺では描かれていない。
【００１４】
添付図面は、様々な実施形態をさらに説明するのに役立ち、かつ本発明の１つまたは複数の実施形態による様々な原理および利点すべてを説明するのに役立つ。添付図面において、別々の図を通じて同様の参照番号は同一または機能的に同様の要素を表し、添付図面は、以下の詳細な説明と共に明細書に組み込まれ、明細書の一部を成す。
【００１５】
重なり合うＢＷ配置を有するマクロセルとＨｅＮＢセルを備える異種のネットワークでは、いくつかの干渉の問題が生じる。そのような干渉の問題の１つは、近くにある（すなわちＨｅＮＢの信号範囲内にある）マクロｅＮＢ（macro-eNB:ＭｅＮＢ）に接続されたＵＥからのアップリンク（ＵＬ）送信が、ＨｅＮＢに接続されたＵＥのＵＬと干渉するというものである。この状況は、ユニバーサル地上無線アクセス（Universal Terrestrial Radio Access:ＵＴＲＡ）ネットワークにおいて３ＧＰＰ  ＴＲ  ２５．９６７  ”ホーム・  ノードＢ・無線要件（Ｈｏｍｅ  Ｎｏｄｅ  Ｂ  Ｒａｄｉｏ  Ｆｒｅｑｕｅｎｃｙ（ＲＦ）Ｒｅｑｕｉｒｅｍｅｎｔｓ（ＦＤＤ））（リリース  ９）”で、干渉シナリオ３として説明されている。
【００１６】
問題の重大性は、ＭｅＮＢとＨｅＮＢの離間距離が大きいときに高くなる。これは、以下のようないくつかの単純な計算によって示される。システム評価で使用される（ＴＲ  ２５．８１４からの）典型的なマクロセルラ環境に関する経路損失（pathloss:ＰＬ）方程式は、２ＧＨｚの搬送周波数に関してＰＬ（ｄＢｍ）＝１２８．１＋３７．６ｌｏｇ１０（Ｒ）によって与えられ、ここでＲはキロメートル単位である。ＭＵＥが、ＭｅＮＢでの受信機ＳＩＮＲ要件に基づいてそのＵＬ送信電力を設定し、この受信機ＳＩＮＲ要件はさらに所望のＰＵＳＣＨ  ＭＣＳに依存する。ＴＳ  ３６．２１３から、ＵＬ電力制御の式は、ＰＴｘ，ＭＵＥ＝ｍａｘ｛ＰＣＭＡＸ，ＩＭｅＮＢ＋ＳＮＲｒｅｑ，ＭｅＮＢ＋ＰＬＭｅＮＢ−ＭＵＥ｝と近似することができ、ここでＰＣＭＡＸは、パワークラス当たりの最大許容ＭＵＥ送信電力であり、ＩＭｅＮＢは、ＭｅＮＢ受信機での同一チャネル干渉であり、ＳＮＲｒｅｑ，ＭｅＮＢは、所望のＭＣＳレベルをサポートするためのＭＵＥ  ＵＬ送信に関する所望のＳＩＮＲであり、ＰＬＭｅＮＢ−ＭＵＥは、ＭｅＮＢからＭＵＥへの経路損失である。
【００１７】
表１に、ＰＣＭＡＸ＝２３ｄＢｍ、ＩＭｅＮＢ＝−９８ｄＢｍ、およびＳＮＲｒｅｑ，ＭｅＮＢ＝１０ｄＢでの、距離に対するＰＬおよびＭＵＥ送信電力の依存性をまとめる。 
【００１８】
【表１】
0005472663.tif 000002
これらの計算から、ＭｅＮＢから４００ｍよりも遠く離れたＭＵＥが、選択された条件下で最大パワーで送信し始める。１ｋｍのセル半径を有するマクロセルに関しては、これは、ユーザのほぼ８０％が最大パワーで送信していることを意味する。したがって、特にＭｅＮＢ−ＨｅＮＢ離間距離が大きくなる（＞４００ｍ）とき、ユーザにサービスするＨｅＮＢの近くでローミングするＭＵＥが、ＨｅＮＢでのＵＬスループットを著しく劣化させる。
【００１９】
この問題を緩和するために、ＵＴＲＡフレームワーク３ＧＰＰ  ＴＲ  ２５．９６７で考察される適合アップリンク減衰などの技法がＬＴＥの文脈で研究されることが多い。しかし、この技法だけでは、異種配置で可能な最良のスペクトル効率を実現するのに十分でない。ＨｅＮＢ展開の効率をより高めるのに有用ないくつかの方法を以下に説明する。
【００２０】
ＨｅＮＢからのＵＥの経路損失（ＰＬ）をしきい値設定すること、あるいはＨｅＮＢとＭｅＮＢの経路損失差をしきい値設定することによって、ＵＥの大まかな地理的位置の特定が可能である。一実施形態では、ＰＬ（ＨｅＮＢからＵＥへ）が所定のしきい値未満である場合、ＵＥはＨｅＮＢの近くにある。代替実施形態では、差（ＰＬ（ＭｅＮＢからＵＥへ）−ＰＬ（ＨｅＮＢからＵＥへ））が特定のしきい値を超える場合、ＵＥは、ＨｅＮＢの近くにあるのみならず、ＨｅＮＢのＵＬに対する大きな干渉リスクも示すことができる。マクロセルからは遠く離れているがＣＳＧセルの近くにあるマクロセルＵＥが大きな電力で送信を行う場合、ＣＳＧ  ＵＥへのＵＬ干渉が生じる。ＨｅＮＢからＵＥへの経路損失を求めるために、ＵＥは、ＨｅＮＢのダウンリンク送信電力に関係する情報要素を含むシステム情報ブロードキャスト（system information broadcast:ＳＩＢ）を読み取る。あるいは、ダウンリンク送信電力に対していくつかの予測を立てる（例えば、ネットワーク内に配置されたＨｅＮＢの電力クラスに従って最大許容パワーに設定する）。
【００２１】
タイムアライメントされた場合にホームｅＮｏｄｅ  ＢがマクロセルｅＮＢ（macro-cell eNB:ＭＮＢ）の近くにあるときに、高信頼性のＨｅＮＢダウンリンク制御を保証するためのいくつかの実施形態を以下に説明する。いくつかの実施形態は、追加機能を有するＲｅｌ−９  ＵＥを準拠し、この追加機能は、簡易版のキャリアアグリゲーション（２０ＭＨｚ以下であり連続）と同様であるが、この特徴がＬＴＥ  リリース−９で採用される可能性が高い。この場合、搬送波でのＰＤＣＨが、ＰＤＣＣＨ送信の帯域幅を超える帯域幅でリソースをスケジュールすることができるように、個別の制御チャネルサポートが必要とされる。別の実施形態では、ＨｅＮＢ制御領域がマクロセルの制御領域に対してタイムシフトされ、マクロセルは、ＨｅＮＢ制御領域に重なるシンボル部分を減衰またはミュートする。同様に、マクロセルは、ＨｅＮＢのタイムシフトされたＳＣＨおよびＰＢＣＨとアライメントするＲＢを減衰させる。この後者の場合には、キャリアアグリゲーションは必ずしも必要ない。
【００２２】
データ（ＰＤＳＣＨ、ＰＵＳＣＨ）とは異なり、典型的には１％以下のかなり低いＢＬＥＲを目標としなければならない制御チャネル送信のためのＨＡＲＱがない。高いパワーのマクロセルの近くにある低い送信電力のＨｅＮＢは、高信頼性のダウンリンク制御チャネル（例えばＰＤＣＣＨ、ＰＨＩＣＨ、ＰＣＦＩＣＨ、ＰＢＣＨ、ＳＳＣＨ）を有さない。これを解決する一方法は、ＬＴＥ搬送波をセグメント化し、ＭＮＢとＨｅＮＢが別々の周波数領域リソースでそれらの制御信号を送信できるようにすることである。例えば、ＬＴＥ搬送波が２０ＭＨｚである場合、ダウンリンクで５ＭＨｚと１５ＭＨｚの搬送波にセグメント化され、ＭＮＢが、１５ＭＨｚ搬送波でその制御信号（ＰＤＣＣＨ、ＰＨＩＣＨ、ＰＣＦＩＣＨ、Ｐ−ＳＣＨ、Ｓ−ＳＣＨ、ＰＢＣＨ）を送信し、ＨｅＮＢが、５ＭＨｚ搬送波でその制御信号を送信する（図１ａおよび図１ｂ参照）。搬送波のセグメント化は、いかなるダウンリンク制御チャネル信頼性の問題も回避する。
【００２３】
一実施形態では、ＬＴＥ  Ｒｅｌ−８  ＵＥとＬＴＥ  Ｒｅｌ−９  ＵＥがどちらも１５ＭＨｚの搬送波としてＭＮＢにアクセスし、１５ＭＨｚの範囲内でＭＮＢから制御およびブロードキャスト信号を受信する。しかし、この実施形態では、Ｒｅｌ−９  ＵＥはさらに、２０ＭＨｚに対応するＤＣＩタイプを使用して、残りの５ＭＨｚの周波数リソースでのＰＤＳＣＨリソースも割り当てられる。ＨｅＮＢに関しては、Ｒｅｌ−８  ＵＥとＲｅｌ−９  ＵＥはどちらも５ＭＨｚの搬送波としてＨｅＮＢにアクセスし、Ｒｅｌ−９  ＵＥはさらに、２０ＭＨｚに対応するＤＣＩタイプを使用して、残りの１５ＭＨｚの周波数リソースでのＰＤＳＣＨリソースも割り当てられる。この実施形態では、Ｒｅｌ−８  ＵＥは、（ＨｅＮＢに配属される場合）２５個のＲＢまたは（ＭＮＢに配属される場合）７５個のＲＢの割振りに制限される。Ｒｅｌ−９  ＵＥには、（ＭＮＢまたはＨｅＮＢに配属される場合）１００個のＲＢの任意の部分が割り当てられる。
【００２４】
この実施形態では、Ｒｅｌ−９  ＵＥが、より高次の層によって信号伝送される。このことは、ＤＬ搬送波帯域幅（５ＭＨｚの搬送波に割り当てられる場合には２５個のＲＢ、または１５ＭＨｚの搬送波に割り当てられる場合には７５個のＲＢ）に対応する通常のＤＬ  ＤＣＩタイプを監視するか、１００個のＲＢを有する２０ＭＨｚに対応する広帯域ＤＬ  ＤＣＩタイプを監視するかに関わらない。広帯域ＤＬ  ＤＣＩタイプは２０ＭＨｚリソース割振りに対応するが、それらは依然として、Ｒｅｌ−９  ＵＥが、割り当てられた搬送波の公称搬送波帯域幅（すなわち５または１５ＭＨｚ）にわたるＰＤＣＣＨで信号伝送される。さらに、広帯域ＤＬ  ＤＣＩの受信は、ＵＥ特有の探索空間に制限する。Ｒｅｌ−９  ＵＥは、依然として、ブロードキャストメッセージを信号伝送するＰＤＣＣＨに関する共通の探索空間で、通常のＤＣＩタイプを受信し続ける。共通の探索空間およびＵＥ特有の探索空間は、３ＧＰＰ  ＴＳ  ３６．２１３で定義されている。
【００２５】
別の実施形態では、アップリンクに関して、Ｒｅｌ−８  ＵＥとＲｅｌ−９  ＵＥがどちらも、ＨｅＮＢとＭＮＢの両方で２０ＭＨｚの搬送波の帯域幅に対応するＵＬ  ＤＣＩタイプを監視する。アップリンク制御信号伝送の信頼性は、ＨｅＮＢ搬送波とＭＮＢ搬送波との直交ＰＵＣＣＨ割当てに関するＰＵＣＣＨオフセットを使用すること（いわゆる「ＰＵＣＣＨオーバープロビジョン」）によって維持する。ＵＬリソースはセグメント化されないので、ＵＬリソースグラントは、２０ＭＨｚのＤＣＩタイプを使用してＲｅｌ−８  ＵＥとＲｅｌ−９  ＵＥとの両方に信号伝送する。これには、Ｒｅｌ−８デバイスが非対称のＤＬ帯域幅とＵＬ帯域幅（この例では、ＤＬ＝５又は１５ＭＨｚおよびＵＬ＝２０ＭＨｚ）を取り扱うことができることを保証するためにＲｅｌ−８デバイスを試験することが必要である。ＤＬシステム帯域幅（ｄｌ帯域幅）およびＵＬシステム帯域幅（ｕｌ帯域幅）は、それぞれＭＩＢおよびＳＩＢ−２で信号伝送される（ＴＳ  ３６．３３１参照）。また、Ｒｅｌ−８デバイスは、そのＤＬ中心周波数とＵＬ中心周波数との周波数オフセットを有する。Ｒｅｌ−８で定義されるように、ＰＢＣＨおよびＳＣＨは各搬送波の中心に生じる。
【００２６】
一実施形態では、ＭＩＢで信号伝送されるＤＬ帯域幅パラメータ（ｄｌ帯域幅）が、Ｒｅｌ−８  ＵＥにダウンリンクリソースを割り当てることができる帯域幅に対応する。Ｒｅｌ−９  ＵＥがリソース割当てを要求することができるより広い帯域幅に関する情報は、ＭＩＢ（マスタ情報ブロック）での予備フィールドを利用することによってＰ−ＢＣＨ（物理的ブロードキャストチャネル）を介して信号伝送することができる。これにより、Ｒｅｌ−９  ＵＥは、Ｐ−ＢＣＨを受信した直後に、広帯域受信（すなわち２０ＭＨｚ受信）用にそれらの受信機を構成することができる。
【００２７】
別の実施形態では、ＳＩＢ（System Information Blocks:システム情報ブロック）など他のブロードキャストメッセージを使用するか、または専用のＲＲＣ（Radio Resource Configuration:無線リソース構成）メッセージを使用することによって、より広い帯域幅に関する情報をＲｅｌ−９  ＵＥに信号伝送することができる。この場合、Ｒｅｌ−８  ＵＥは、始めは、ＭＩＢで信号伝送されるｄｌ帯域幅パラメータ、すなわちＲｅｌ−８  ＵＥと同じ帯域幅（例えば５ＭＨｚまたは１５ＭＨｚ）に従ってそれらの受信機を設定すべきであり、その後、基地局から適切なブロードキャストまたはＲＲＣメッセージを受信した後には、より広い帯域幅の送信（例えば２０ＭＨｚ）を受信するように受信機を再設定すべきである。
【００２８】
一実施形態では、マクロセルとＨｅＮＢ、Ｆｅｍｔｏ、又はＲｅｌａｙとの間のサブフレームタイムアライメントが存在すると仮定される。この実施形態では、信号伝送はＲｅｌ−９でサポートされて、ＤＣＩフォーマットタイプのＢＷを示し、より小さな帯域幅（例えば５ＭＨｚまたは１５ＭＨｚのみ）にわたるＰＤＣＣＨで最大２０ＭＨｚのリソース割当て信号伝送を可能にする。あるいは、別の実施形態では、１つの搬送波での個々のＰＤＣＣＨが、制御信号を有する搬送波に割り当てられる周波数セグメントに対するリソース割振りを示すことができる（例えば５ＭＨｚの搬送波ＰＤＣＣＨが１５ＭＨｚの周波数セグメントでの割振りを示す）。
【００２９】
別の実施形態は、アップリンク搬送波が重なり合う（例えば両方のＵＬ搬送波が２０ＭＨｚである）ときに、ＰＵＣＣＨの対称オフセットを使用して（いわゆる「ＰＵＣＣＨオーバープロビジョン」）、直交ＰＵＣＣＨ割当てを維持する。
【００３０】
別の実施形態は、（ＭＮＢ制御領域（サイズｋ）との重なりを避けるために）ＨｅＮＢ送信をｋシンボルだけタイムシフトさせることに基づいており、ＨｅＮＢの制御領域に重なり合う（１つまたは複数の）シンボルの部分でのＭＮＢの電力減衰またはミューティングを使用する（図２参照）。また、ＭＮＢは、ＭＮＢの非常に近くにあるＨｅＮＢに関するＰＤＳＣＨ特性を向上させるために、ＨｅＮＢ制御領域に重なり合うすべてのＲＢ（すなわち２５個のＲＢ）に関する電力減衰を使用することもできる。ＰＤＳＣＨ効率に関して、ＯＦＤＭシンボルＨｅＮＢ制御領域がただ１つであること（ｎ＝１）が好ましく、それによりＨｅＮＢ制御チャネルのために５個のＣＣＥが残り、５個のＣＣＥはＨｅＮＢ制御信号伝送に十分であるはずである。ＨｅＮＢ送信のタイムシフトにより、ＨｅＮＢ  ＰＤＳＣＨ領域の最後のｋ個のシンボルは、マクロセル制御領域からの干渉を受ける。ＨｅＮＢ  ＰＤＳＣＨとマクロセル制御領域との重なりは、以下のようにして考慮することができる。（ａ）何もせず、ＰＤＳＣＨに関するすべての非制御シンボルを使用する。（ｂ）打切り（ｔｒｕｎｃａｔｉｏｎ）を使用し、すなわち１４−ｎ−ｋ個のシンボルのみをＨｅＮＢ  ＰＤＳＣＨに関して使用する。または（ｃ）依然として１４−ｎ個のシンボルを使用するが、ＭＣＳ選択によって重なりを考慮する。ＨｅＮＢ  ＰＤＣＣＨ信号（制御領域）に対するＭＮＢ搬送波からの干渉はタイムシフトによって回避されるので、ＭＮＢ搬送波をセグメント化する必要はない。ＨｅＮＢ搬送波は、依然としてセグメント化することができる。
【００３１】
また、全２０ＭＨｚ帯域をＨｅＮＢに割り振ることによって、ＨｅＮＢに関する搬送波セグメント化を省くこともできる（図３に示される）が、このとき追加の１サブフレームシフト（合計でｋ＝１６のシンボル）が必要とされ、それによりそのＳＣＨ／ＰＢＣＨはマクロセルに重なり合わなくなる。次いで、マクロセルは、ＨｅＮＢ制御領域に重なるその（１つまたは複数の）ＰＤＳＣＨシンボルをミュートまたは減衰し、またＨｅＮＢのＰＢＣＨ又はＳＣＨに重なり合うＲＢを減衰又はミュートする。ＨｅＮＢのＲＲＭ測定は、通常と同様に行われる。
【００３２】
以下の表２に、本明細書で考察する様々な制御信頼性技法をまとめる。
この実施形態では、ＨｅＮＢがマクロセルとタイムアライメントされると仮定される。マクロセルダウンリンクサブフレームに対してｋシンボルだけＨｅＮＢのダウンリンクサブフレームをシフトすることで、それらの制御領域の重なりがなくなる。マクロセルは、ＨｅＮＢ制御領域に重なり合うそのＰＤＳＣＨ領域内の（１つまたは複数の）シンボルを減衰またはミュートする。マクロセルは、ＳＣＨまたはＰＢＣＨに重なり合うＰＤＳＣＨ領域内でのＰＲＢを減衰またはミュートする。
【００３３】
【表２】
0005472663.tif 000003
ｎ−ＭＮＢ制御領域のサイズ（好ましくはｎ＜３）。
【００３４】
＃１  キャリアアグリゲーションの場合、ＨｅＮＢの制御領域の直交性を維持するためにシンボルミューティングが必要とされる。
＃２  キャリアアグリゲーションの場合、ＭＮＢは、ＨｅＮＢのＰＢＣＨ又はＳＣＨに重なり合うＲＢを割り振らない。
【００３５】
＃３  ＨｅＮＢの制御領域に重なり合うＰＤＳＣＨ  ＲＢのシンボル部分に関して、ＭＮＢによってミュートする。
＃４  （好ましくはＭＮＢに関しても）３個のシンボルの固定制御領域サイズを仮定するＰＤＣＣＨの反復に従う。
【００３６】
＃５  ＩＶ−ＭＮＢは、ＨｅＮＢのＰＢＣＨ又はＳＣＨに重なり合うＲＢをスケジュールすべきでなく、これは調整を必要とする。
別の実施形態では、ＭＮＢとＨｅＮＢのアライメントの制御を省くためのタイムシフトは行われない。その代わりに、ＨｅＮＢが、その制御領域内で各ＰＤＣＣＨを反復使用し（または余剰のＣＣＥを使用し）、ＳＩＢを介してＲｅｌ−９  ＵＥに信号伝送することができる最大のＰＣＦＩＣＨ（例えばｎ＝３）を常に使用する。ＨｅＮＢがＭＮＢと同じ帯域幅を有する場合、ＰＢＣＨおよびＳＣＨのＨｅＮＢ送信がＰＢＣＨおよびＳＣＨのＭＮＢ送信と重なり合わないようにフルサブフレームシフト（ｋ＝１４）が必要とされる。さらに、ＭＮＢは、ＨｅＮＢのＰＢＣＨ又はＳＣＨと重なり合うＰＤＳＣＨ  ＲＢを減衰またはミュートする。また、ＭＮＢは、その制御領域のいくつかの部分で送信を減衰またはミュートしてもよい。あるいは、（ｎ＝１のＨｅＮＢ制御領域サイズが可能である）比較的少数のＨｅＮＢ  ＣＣＥに対する干渉を減少するために、１組のＭＮＢ  ＣＣＥの使用を妨げることができる。ＨｅＮＢのスケジューリングには少数のＣＣＥが適しているはずである（より詳細には添付資料Ａ参照）。
【００３７】
一実施形態では、搬送波が重ね合わされ、システムは、ＰＤＣＣＨの反復またはＣＣＥ／ＰＤＣＣＨの数の増加に従ってＰＤＣＣＨカバレッジを維持する。この実施形態は、１サブフレームシフトを使用して、ＨｅＮＢのＰＢＣＨおよびＳＣＨがＭＮＢのＰＢＣＨおよびＳＣＨと重なり合わなくなる。ＭＮＢは、ＨｅＮＢのＰＢＣＨ又はＳＣＨに重なり合うＲＢおよびその制御領域の一部分を減衰又はミュートすることができる。
【００３８】
別の実施形態では、１組のＭＮＢ  ＣＣＥの使用を妨げることができ、これは、（ｎ＝１のＨｅＮＢ制御領域サイズが可能である）比較的少数のＨｅＮＢ  ＣＣＥに対する干渉を低減する。ＨｅＮＢスケジューリングには少数のＣＣＥが適しているはずである。
【００３９】
仮にもしＨｅＮＢ  ＰＣＩＤを選択することができれば、ＨｅＮＢのＣＣＥ  ＲＥＧの位置がＭＮＢのＣＣＥ  ＲＥＧ位置にできるだけ近くなるようにＰＣＩＤを選択する。次いで、個々のＣＣＥグループを定義して、一方のグループがＨｅＮＢに割り振られ、他方のグループがＭＮＢに割り振られ、それによりＨｅＮＢ  ＣＣＥへの干渉を低減することができる。そうではなく、ＭＮＢでの１組のＣＣＥのＲＥＧ位置と近接してアライメントされたＲＥＧの位置を有するＨｅＮＢに関して、少数のＣＣＥ（例えば５個のＣＣＥ。これは、２つ以上のＴＸアンテナの場合、１Ｏ個のＦＤＭシンボル（ｎ＝１）の制御領域サイズに対して５ＭＨｚの搬送波のときに利用可能なＣＣＥの数である）を選択することができ、それにより（５個よりも多いことがある）１組のＣＣＥがＭＮＢによって使用されないか、またはほとんど使用されない（すなわち、ＣＣＥが、ＭＮＢの使用不可のＣＣＥセット内に入る）。この場合、特定のＨｅＮＢ  ＰＣＩＤを選ぶ必要はないが、ＨｅＮＢは、ＭＮＢ  ＰＣＩＤを検出する必要があり、したがってＨｅＮＢは、ＭＮＢ  ＰＣＩＤとその独自のＰＣＩＤを使用して、ＭＮＢの使用不可のＣＣＥセットを決定することができ、次いで決定された情報をＭＮＢに信号伝送する。また、ＨｅＮＢは、どのＣＣＥを割り振ることができるかも検出する（この場合、５個のＣＣＥがすべて、そのＨＮＢのＣＣＥ割振りセット内にある）。この場合、ＨＮＢのＣＣＥ割振りセットの５個のＣＣＥが、ＨｅＮＢの共通の探索空間およびＵＥ特有の探索空間にわたって配置される。そうでない場合（例えばｎ＞１およびＢＷ＞５ＭＨｚのうちの少なくとも一方では）、ＨｅＮＢの共通探索空間内のいくつかのＣＣＥ（例えば４個）およびＨｅＮＢのＵＥ特有の探索空間内のいくつか（例えば４個）が、そのＨＮＢ  ＣＣＥ割振りセットに関して選択され、選択されたセットに基づいて、ＭＮＢの使用不可のＣＣＥセットが決定される。使用不可のＣＣＥへのハッシングを生じる場合（またはＨＮＢ  ＣＣＥ割振りセット内にないＣＣＥへのＨｅＮＢマップの場合）には、ＨｅＮＢとＭＮＢは、それぞれのＣＣＥセットに基づいて、ＨｅＮＢとＭＮＢがそれぞれサービスするＵＥに特定のＵＥＩＤを割り当てない。使用不可のＵＥＩＤの数は、その制御領域が３個のＯＦＤＭシンボル（ｎ＝３）である場合に、ＭＮＢに比べてはるかに小さい。
【００４０】
別の実施形態では、マクロセルとＨｅＮＢに関する共通参照シンボル（ＣＲＳ）を、異なるＣＲＳの周波数シフトを使用して完全なアライメントを避けるように構成することができ、これはＨｅＮＢのチャネル推定を支援する。ラスタ周波数を適切に選択することによる（１つまたは複数の）ガードバンドの選択が、重なりの度合いを制御するために様々な帯域の共通ＲＳをシフトさせるための別の方法であることに留意されたい（図５参照）。ＨｅＮＢおよびマクロセルがサブフレームをタイムアライメントされない場合、ＣＲＳの重なりに対処する必要はない。ＨｅＮＢによってサービスされるＲｅｌ−９  ＵＥは、マクロセルＣＲＳ  ＲＥ位置の周りでレートマッチングすることができる。
【００４１】
この実施形態では、参照シンボルは、既存のＰＣＩＤ法の使用、および搬送波ラスタ周波数の選択のうちの少なくとも一方によってシフトされて、ＨｅＮＢ、Ｆｅｍｔｏ、又はＲｅｌａｙ送信のチャネル推定を改良する。また、ＣＲＳの電力増大（Power Boosting）も可能である。
【００４２】
ＭＮＢ  ＤＬ搬送波（Ｒｅｌ−８に関して１５ＭＨｚ）およびＨｅＮＢ  ＤＬ搬送波（Ｒｅｌ−８に関して５ＭＨｚ）のＤＣ副搬送波は１００ｋＨｚのラスタ位置(raster location)にあるべきであり、それによりＲｅｌ−８  ＵＥがＭＮＢ  ＤＬ搬送波およびＨｅＮＢ  ＤＬ搬送波にアクセス可能である（例えば図４参照）。Ｒｅｌ−９  ＵＥは、２０ＭＨｚに対応する周波数にそれらの中心周波数をシフトすることによって、２０ＭＨｚにわたるリソース割振りに関する送信を復調するために依然として一回のＦＦＴしか必要としない。例えば、図５で、Ｒｅｌ−９  ＵＥは、始めに５ＭＨｚまたは１５ＭＨｚのラスタ上に位置し（camp）、次いでその中心周波数を２０ＭＨｚの搬送波のラスタ周波数にシフトする。また、図５は、５ＭＨｚの搬送波および１５ＭＨｚの搬送波に関する２つの可能なラスタ選択を示す。一方のラスタ選択は、５ＭＨｚの搬送波および１５ＭＨｚの搬送波に関して単一の副搬送波の重なりをもたらし、他方のラスタ選択は、５９個の副搬送波のガードインターバルをもたらし、これは任意の隣接キャリア干渉（adjacent carrier interference:ＡＣＩ）を緩和する傾向がある。
【００４３】
別の実施形態では、５〜１５ＭＨｚの搬送波間のガードバンドがなくされ（追加のＤＣによる単一の副搬送波の重なり）、それにより、Ｒｅｌ−９  ＵＥによって使用される２０ＭＨｚ帯域が５ＭＨｚおよび１５ＭＨｚの搬送波のＲＢを完全に含む。この場合、隣接キャリア干渉（ＡＣＩ）は、ガードバンド（例えば５９個の副搬送波ガードバンド）を使用するのに比べて高い。Ｒｅｌ−９  ＵＥ割振りに関するより多くのＲＢに関してガードバンドがカニバライズ（ｃａｎｎｉｂａｌｉｚｅｄ）される場合、ＡＣＩの緩和は失われる。
【００４４】
本開示およびその最良の形態を、所有権を規定するように、かつ当業者がそれを実施して使用できるように説明してきたが、本明細書で開示する例示的実施形態に対する均等形態が存在すること、および本発明の範囲および精神から逸脱することなくそれらに変更を施すことができ、本発明は例示的実施形態によっては限定されず、添付の特許請求の範囲によって限定されることが理解され認識されよう。
【図１ａ】
0005472663.tif 000004
【図１ｂ】
0005472663.tif 000005
【図２】
0005472663.tif 000006
【図３】
0005472663.tif 000007
【図４】
0005472663.tif 000008
【図５】
0005472663.tif 000009
【図６】
0005472663.tif 000010